(57)【特許請求の範囲】
【請求項１】
ケーブルの一端に接続された第１のコネクターと、
機器に設けられて、前記第１のコネクターが結合される第２のコネクターと、
前記第１のコネクターが前記第２のコネクターに結合されるときに前記第１のコネクターをロックする移動可能なロック片と、
前記機器の使用時に前記ロック片の下方に配置され、前記ロック片を前記第１のコネクターに向けて上昇させて、前記ロック片による前記第１のコネクターへのロックを引き起こす押し付け部とを備え、
前記押し付け部は、前記機器の使用時に、設置面に押されて前記ロック片を上昇させ、前記機器が前記設置面から離れると、前記設置面に押されずに前記ロック片を前記第１のコネクターに向けて押し付けずに前記ロック片による前記第１のコネクターへのロックの解除を引き起こすことを特徴とするコネクターロック機構。
【請求項２】
前記第２のコネクターから前記第１のコネクターが離脱する方向に前記第１のコネクターを付勢する第１の弾性体をさらに備えることを特徴とする請求項１に記載のコネクターロック機構。
【請求項３】
前記押し付け部を前記設置面に向けて付勢する第２の弾性体をさらに備えることを特徴とする請求項１または請求項２に記載のコネクターロック機構。
【請求項４】
前記設置面上に配置されるベースと、
被験者が載るプラットフォームと、
前記ベースに支持されており、前記プラットフォームに与えられた荷重を測定する荷重測定器と、
請求項１から請求項３のいずれか１項に記載のコネクターロック機構とを備え、
前記コネクターロック機構の前記第２のコネクターが、前記ベースに支持されており、前記荷重測定器と電気的に接続されていることを特徴とする、前記機器である重量計。
【発明の詳細な説明】
【技術分野】
【０００１】
本発明は、コネクターロック機構およびこれを備える重量計に関する。
【背景技術】
【０００２】
例えば非特許文献１に開示された車椅子用体重計には、ケーブルを介して操作ユニットが接続されている。ケーブルはコネクターで体重計に接続されている。操作ユニットには、操作パネルおよびディスプレイパネルが組み込まれている。操作パネルの操作に応じて、この体重計は動作を開始する。ディスプレイパネルのスクリーンには、例えば体重値が表示される。
【先行技術文献】
【非特許文献】
【０００３】
【非特許文献１】株式会社タニタ，「タニタ総合カタログ２００９」，（日本国），株式会社タニタ，２００９，ｐ８４
【発明の概要】
【発明が解決しようとする課題】
【０００４】
この体重計を使用後に他の場所に運搬する場合、体重計と操作ユニットとを接続するケーブルが運搬作業の邪魔になる。また、ケーブルを体重計に接続したまま、体重計を運搬しようとすると、体重計と操作ユニットとの相対位置が変化することにより、しばしばケーブルが折れ曲がる。このため、ケーブル内の信号線の断線が懸念される。
【０００５】
そこで、本発明は、機器からのケーブルの取り外しを容易にし、ケーブル内の信号線の断線のおそれを低減することが可能なコネクターロック機構およびこれを備える重量計を提供する。
【課題を解決するための手段】
【０００６】
本発明に係るコネクターロック機構は、ケーブルの一端に接続された第１のコネクターと、機器に設けられて、前記第１のコネクターが結合される第２のコネクターと、前記第１のコネクターが前記第２のコネクターに結合されるときに前記第１のコネクターをロックする移動可能なロック片と、前記機器の使用時に前記ロック片の下方に配置され、前記ロック片を前記第１のコネクターに向けて上昇させて、前記ロック片による前記第１のコネクターへのロックを引き起こす押し付け部とを備え、前記押し付け部は、前記機器の使用時に、設置面に押されて前記ロック片を上昇させ、前記機器が前記設置面から離れると、前記設置面に押されずに前記ロック片を前記第１のコネクターに向けて押し付けずに前記ロック片による前記第１のコネクターへのロックの解除を引き起こす。
【０００７】
このコネクターロック機構では、機器が使用のために設置面上に配置されると、設置面に押されて押し付け部がロック片を上昇させる。第１のコネクターが第２のコネクターに結合され、かつロック片が上昇するとき、ロック片は第１のコネクターにロックする。ロック片が第１のコネクターをロックすることにより、第１のコネクターと第２のコネクターとの結合が維持される。他方、機器が設置面から離れると、押し付け部はロック片による第１のコネクターへのロックの解除を引き起こす。これにより、第１のコネクターと第２のコネクターとの結合を切り離すことが可能である。従って、機器を設置面から持ち上げると、ロックが解除されて第１のコネクターと第２のコネクターとを切り離すことが容易になる。機器を運搬するときに、機器からのケーブルの取り外しが容易であり、ケーブル内の信号線の断線のおそれが低減される。
【０００８】
コネクターロック機構は、前記第２のコネクターから前記第１のコネクターが離脱する方向に前記第１のコネクターを付勢する第１の弾性体をさらに備えてもよい。
この構成では、ロック片による第１のコネクターへのロックが解除されると、第１の弾性体によって第２のコネクターから第１のコネクターが強制的に離脱する。従って、機器を設置面から持ち上げると、ロックが解除されだけではなく、第１の弾性体によって第２のコネクターから第１のコネクターが強制的に離脱する。機器を運搬するときに、機器からケーブルが自動的に取り外され、ケーブル内の信号線の断線のおそれがさらに低減される。
【０００９】
コネクターロック機構は、前記押し付け部を前記設置面に向けて付勢する第２の弾性体をさらに備えてもよい。
この構成では、機器が設置面から離れると、第２の弾性体によって押し付け部が設置面に向けて強制的に移動させられる。従って、ロック片による第１のコネクターへのロックが素早く解除される。機器を運搬するときに、機器からのケーブルの取り外しがさらに容易であり、ケーブル内の信号線の断線のおそれがさらに低減される。
【００１０】
本発明に係る重量計は、前記設置面上に配置されるベースと、被験者が載るプラットフォームと、前記ベースに支持されており、前記プラットフォームに与えられた荷重を測定する荷重測定器と、前記のコネクターロック機構とを備え、前記コネクターロック機構の前記第２のコネクターが、前記ベースに支持されており、前記荷重測定器と電気的に接続されている、前記機器である。
この重量計を運搬するときに、重量計からのケーブルの取り外しが容易であり、ケーブル内の信号線の断線のおそれが低減される。
【図面の簡単な説明】
【００１１】
【図１】本発明の実施の形態に係る重量計すなわち体重計を示す斜視図である。
【図２】前記体重計の分解斜視図である。
【図３】前記体重計の他の分解斜視図である。
【図４】サイドカバーが外された体重計の平面図である。
【図５】図４のＶ−Ｖ線に沿った拡大断面図である。
【図６】図４のＶＩ−ＶＩ線に沿った拡大断面図である。
【図７】前記体重計の第１のサイドカバーの拡大部分平面図であってコネクターアセンブリを示す図である。
【図８】前記体重計が設置面から持ち上げられた状態での図６と同様の拡大断面図である。
【図９】前記コネクターアセンブリにケーブルを接続しようとする状態での図６と同様の拡大断面図である。
【図１０】本発明の他の実施の形態に係る体重計を示す図であって図６と同様の拡大断面図である。
【図１１】本発明のさらに他の実施の形態に係る体重計を示す図であって図６と同様の拡大断面図である。
【図１２】本発明のさらに他の実施の形態に係る重量計すなわち体重計を示す斜視図である。
【発明を実施するための形態】
【００１２】
以下、添付図面を参照しつつ本発明の実施の形態を説明する。
【００１３】
図１は本発明の実施の形態に係る体重計１を示す。体重計１は、図２および図３に示すベース２、ベース２に支持された一対の第１ロードセルユニット２７ａおよび一対の第２ロードセルユニット２７ｂ、ベース２の上方に配置されてロードセルユニット２７ａ，２７ｂに支持されたプラットフォーム１４、プラットフォーム１４に支持された第１のサイドカバー１５および第２のサイドカバー１６を備える。
【００１４】
図２に示すように、体重計１はベース２を備える。ベース２は、鋼製の矩形のフレーム３と、フレーム３の四隅に固定された鋼製のコーナー板４を備える。矩形のフレーム３は、一対の側壁３ａ，３ｂと、これらを連結する一対の連結板３ｃ，３ｄを備える。連結板３ｃ，３ｄは、側壁３ａ，３ｂよりも長尺であり、側壁３ａ，３ｂよりも小さい厚さを有する。
【００１５】
フレーム３の四隅には、調整可能脚６がそれぞれ取り付けられている。調整可能脚６は、フレーム３にねじ込まれるねじと床面に接する台座を有しており、ねじの回転によって台座とフレーム３との距離が調整可能である。
【００１６】
フレーム３の四隅にはロードセルユニット２７ａ，２７ｂ（荷重測定器）が配置されている。一対の第１ロードセルユニット２７ａは第１ロードセルユニット群を構成する。第１ロードセルユニット２７ａから左右方向に隔てられて一対の第２ロードセルユニット２７ｂが配置される。二つの第２ロードセルユニット２７ｂは第２ロードセルユニット群を構成する。詳細な図示は省略するが、ロードセルユニット２７ａ，２７ｂの各々は、ロードセルと、後述する取付板２９から与えられる荷重をロードセルに伝達する荷重伝達部材を備える。ロードセルは、与えられた荷重に応じて変形する起歪体と、起歪体に貼り付けられて起歪体の変形に応じた量の電気信号を出力する１つ以上の歪みゲージを有する。
ロードセルユニット２７ａ，２７ｂはベース２に支持されている。具体的には、ロードセルユニット２７ａ，２７ｂの各々はコーナー板４に取り付けられている。
【００１７】
ベース２にはプラットフォーム１４が被さる。プラットフォーム１４は例えば薄い鋼板から成形される。プラットフォーム１４は、体重計１の使用時すなわち重量測定時に床面と平行に配置される平坦部１４ａを備える。平坦部１４ａには、第１ロードセルユニット２７ａおよび第２ロードセルユニット２７ｂの位置に対応する位置に切欠２８が形成される。切欠２８上には、折り曲げられた取付板２９が配置されている。取付板２９は、平坦な上壁と上壁の前後の端壁を備える。取付板２９の前後の両方の端壁は平坦部１４ａに固定されている。取付板２９の上壁は、プラットフォーム１４の平坦部１４ａよりも上方にあって、プラットフォーム１４の平坦部１４ａに平行に広がる。
【００１８】
プラットフォーム１４がベース２に被せられる時、第１ロードセルユニット２７ａおよび第２ロードセルユニット２７ｂの各々は、プラットフォーム１４の切欠２８内に配置され、プラットフォーム１４の各取付板２９の上壁は、第１ロードセルユニット２７ａまたは第２ロードセルユニット２７ｂの上記の荷重伝達部材に覆い被さり、ロードセルユニット２７ａまたは２７ｂに支持される。従って、プラットフォーム１４の荷重およびプラットフォーム１４に与えられた荷重は、ロードセルユニット２７ａ，２７ｂのロードセルに伝達される。ロードセルユニット２７ａ，２７ｂは、プラットフォーム１４に与えられた重量、例えば被験者の重量を測定する。
【００１９】
プラットフォーム１４の平坦部１４ａには、被験者が搭乗した車椅子または車椅子に搭乗していない被験者が載る。体重計１は、被験者と車椅子の総重量を測定することもできるし、車椅子に搭乗していない被験者の重量を測定することもできる。プラットフォーム１４のうち、第１ロードセルユニット群と第２ロードセルユニット群との間の部分が、車椅子の通り道１７である。
【００２０】
プラットフォーム１４は、平坦部１４ａに加えて、平坦部１４ａに連なったスロープ１４ｂ，１４ｃを備える。スロープ１４ｂ，１４ｃの各々は、体重計１の使用時に平坦部１４ａから前後方向に遠ざかるにつれて床面に近づくように形成されている。すなわち、スロープ１４ｂ，１４ｃは、体重計１の使用時に平坦部１４ａから床面にかけて傾斜するように形成されている。車椅子に搭乗した被験者の重量測定にあたって、被験者は車椅子に搭乗したまま平坦部１４ａ上に上がる。スロープ１４ｂ，１４ｃの働きで車椅子はスムースに床面と平坦部１４ａとの間で移動することができる。車椅子の走行方向が「前後方向」に相当する。
【００２１】
プラットフォーム１４がベース２に被せられる時、図３に示すように、平坦部１４ａはフレーム３の一対の側壁３ａ，３ｂの間の空間に配置される。また、プラットフォーム１４のスロープ１４ｂ，１４ｃが連結板３ｃ，３ｄに接触しないように、フレーム３の連結板３ｃ，３ｄは小さい厚さを持つ。従って、プラットフォーム１４の荷重は、ベース２には直接伝達されることはなく、ロードセルユニット２７ａ，２７ｂを介してベース２に伝達される。
【００２２】
このように、体重計１では、プラットフォーム１４の平坦部１４ａは、ベース２のフレーム３の一対の側壁３ａ，３ｂの間の空間に配置される。また、平坦部１４ａに形成された切欠２８の内部に荷重測定器としてのロードセルユニット２７ａ，２７ｂが配置される。従って、体重計１の全体の厚さを小さくすることができる。プラットフォーム１４の平坦部１４ａに与えられた荷重は、取付板２９を介してロードセルユニット２７ａ，２７ｂに伝達される。
【００２３】
金属の薄板製の第１のサイドカバー１５および第２のサイドカバー１６がプラットフォーム１４の平坦部１４ａの上に取り付けられ、プラットフォーム１４に支持されている。第１のサイドカバー１５は、第１ロードセルユニット２７ａを覆う取付板２９を覆う。他方、第２のサイドカバー１６は、第２ロードセルユニット２７ｂを覆う取付板２９を覆う。第１のサイドカバー１５と第２のサイドカバー１６とは左右方向に間隔をおいている。第１のサイドカバー１５および第２のサイドカバー１６の間でプラットフォーム１４には車椅子の通り道１７が区画される。換言すれば、車椅子の通り道１７は、プラットフォーム１４のうち第１のサイドカバー１５と第２のサイドカバー１６で覆われていない部分である。
【００２４】
一方のサイドカバーすなわち第１のサイドカバー１５にはハンドル１８が固定されている。他方のサイドカバーすなわち第２のサイドカバー１６には３個の車輪１９が取り付けられる。車輪１９の各々は、プラットフォーム１４の平坦部１４ａに直交する回転軸を有する。車輪１９は体重計１の輪郭よりも外側にはみ出す。ハンドル１８と車輪１９の用途は後述する。
【００２５】
図１に示すように、体重計１はコネクターアセンブリ２４を備えており、コネクターアセンブリ２４には操作ユニット１３に接続されたケーブル２１が切り離し可能に接続されうる。操作ユニット１３には例えば操作パネル２２およびディスプレイパネル２３が組み込まれている。操作パネル２２は、操作ユニット１３の表面で露出する操作ボタン（図示せず）を有する。ディスプレイパネル２３は、操作ユニット１３の表面で露出するスクリーン（図示せず）を有する。操作ボタンの操作に応じて体重計１は重量測定動作を開始する。操作パネル２２の内部には重量計算装置（図示せず）が配置されており、重量計算装置はロードセルユニット２７ａ，２７ｂからの信号に基づいて、プラットフォーム１４に与えられた重量値を算出する重量測定動作を実行する。ディスプレイパネル２３のスクリーンには、例えば重量値が表示される。
【００２６】
第１のサイドカバー１５には開口２５が形成されており、ケーブル２１は開口２５を通過する。また、コネクターアセンブリ２４は開口２５によって露出しており、必要に応じて、人がケーブル２１をコネクターアセンブリ２４から切り離したり接続したりすることが可能である。
【００２７】
体重計１を使用しない時、ケーブル２１をコネクターアセンブリ２４から切り離した状態で、図示しないが、人がハンドル１８を掴んで体重計１を直立姿勢に立ち上げることができる。直立姿勢の体重計１は車輪１９で床面に支持される。車輪１９によって体重計１はスムースに床面上を運搬することができる。この運搬の際に、体重計１を運搬する人はハンドル１８を掴んでもよい。
【００２８】
図２および図３に示すように、コネクターアセンブリ２４は、例えば金属製のホルダー３２に取り付けられて支持されている。コネクターアセンブリ２４は基板３３上の回路に電気的に接続されており、基板３３もホルダー３２に取り付けられて支持されている。
【００２９】
ホルダー３２は、ベース２のフレーム３の側壁３ａに取り付けられてベース２に支持されている。図３に示すように、プラットフォーム１４がベース２に被せられる時、ホルダー３２がプラットフォーム１４上に位置するように、ホルダー３２はフレーム３に取り付けられている。ホルダー３２がフレーム３に取り付けられているので、基板３３およびコネクターアセンブリ２４の荷重はフレーム３に支持され、プラットフォーム１４には支持されない。ロードセルユニット２７ａ，２７ｂの各々と基板３３はケーブル３４で接続されている。それらのケーブル３４とともに基板３３は、第１のサイドカバー１５で覆われる。ロードセルユニット２７ａ，２７ｂからの信号は、ケーブル３４から基板３３上の回路に供給され、さらにコネクターアセンブリ２４とケーブル２１を経て操作ユニット１３に供給される。
【００３０】
図４に示すように、仮想線で示す第１のサイドカバー１５の縁には、四つのフック片３５が形成されており、同様に図４で仮想線で示す第２のサイドカバー１６の縁にも四つのフック片３５が形成されている。これらのフック片３５は、サイドカバーの長手方向にほぼ沿って並べられている。プラットフォーム１４には、個々のフック片３５に対応して微小な矩形孔３６が形成されている。個々のフック片３５は対応する矩形孔３６に差し込まれる。
【００３１】
このようにして、図５に示すように、第１のサイドカバー１５のフック片３５には、プラットフォーム１４が引っ掛けられている。第２のサイドカバー１６のフック片３５にも、プラットフォーム１４が引っ掛けられている。フック片３５および矩形孔３６の働きで、サイドカバー１５，１６は、プラットフォーム１４に対して位置決めされる。
【００３２】
図４に示すように、第１のサイドカバー１５の四つのフック片３５のうち一つのフック片３５には、プラットフォーム１４のスロープ１４ｂが掛けられている。第２のサイドカバー１６の四つのフック片３５のうち一つのフック片３５にも、プラットフォーム１４のスロープ１４ｂが掛けられている。従って、プラットフォーム１４のスロープ１４ｂの荷重の一部は、左右に配置されたフック片３５ひいてはサイドカバー１５，１６に支持されている。
【００３３】
また、第１のサイドカバー１５の一つのフック片３５には、プラットフォーム１４のスロープ１４ｃが掛けられている。第２のサイドカバー１６の一つのフック片３５にも、プラットフォーム１４のスロープ１４ｃが掛けられている。従って、プラットフォーム１４のスロープ１４ｃの荷重の一部は、左右に配置されたフック片３５ひいてはサイドカバー１５，１６に支持されている。
【００３４】
図５に示すように、第１のサイドカバー１５の内面にはブラケット３７が固定されている。ブラケット３７はプラットフォーム１４の平坦部１４ａに接しており、第１のサイドカバー１５に与えられた荷重は、ブラケット３７を介して平坦部１４ａに伝達される。ブラケット３７は、ねじ３８によって平坦部１４ａに固定されている。このようにして、第１のサイドカバー１５はプラットフォーム１４に固定されている。
【００３５】
図示しないが、第２のサイドカバー１６の内面にも同様のブラケットが固定されており、第２のサイドカバー１６に与えられた荷重は、そのブラケットを介して平坦部１４ａに伝達される。また、そのブラケットがねじで平坦部１４ａに固定されることで、第２のサイドカバー１６はプラットフォーム１４に固定されている。
【００３６】
この体重計１では、ケーブル２１に電気的に接続される電気部品であるコネクターアセンブリ２４および基板３３が、取付部材であるホルダー３２に支持されており、ホルダー３２はベース２に支持されている。このため、ケーブル２１の荷重はプラットフォーム１４には伝達されない。従って、ケーブル２１に揺れが生じても、プラットフォーム１４に与えられる荷重には影響せず、正確な体重測定が可能である。
【００３７】
図６に示すように、ホルダー３２とプラットフォーム１４の平坦部１４ａの表面との間には間隔ｄが確保されている。間隔ｄは、たとえプラットフォーム１４が変形しても、プラットフォーム１４とホルダー３２との接触が回避される程度の大きさに設定されている。
【００３８】
コネクターアセンブリ２４および基板３３は第１のサイドカバー１５で覆い隠されるため、体重計１の美観が確保される。第１のサイドカバー１５はプラットフォーム１４に支持されるが、第１のサイドカバー１５にはケーブル２１が通過する開口２５が形成されているため、ケーブル２１の荷重がプラットフォーム１４には伝達されない。
【００３９】
図６および図７に示すように、コネクターアセンブリ２４は、平板４２とコネクターケース４３と揺れ止め４５を有する。平板４２とコネクターケース４３と揺れ止め４５は、例えば樹脂で一体に形成されている。コネクターアセンブリ２４の平板４２は、前記のホルダー３２に固定されている。
【００４０】
コネクターケース４３には、ケーブル２１の一端にある第１のコネクター４４が差し込まれる。図６に示すように、コネクターケース４３の内部には、第１のコネクター４４と機械的かつ電気的に接続される第２のコネクター４６が配置されている。第２のコネクター４６は前記の基板３３上の回路に電気的に接続されている。第１のコネクター４４と第２のコネクター４６は、互いに機械的かつ電気的に接続される形式であれば、いかなるタイプであってもよい。例えば、コネクター４４，４６の一方がプラグ（雄）で他方がソケット（雌）であってもよい。
【００４１】
コネクターアセンブリ２４の揺れ止め４５はコネクターケース４３から離れた位置に配置されている。揺れ止め４５は、環状であって、ここにはケーブル２１が通過させられている。第１のコネクター４４が第２のコネクター４６に装着されると、揺れ止め４５はケーブル２１の移動範囲を区画する。揺れ止め４５は、ケーブル２１が第１のサイドカバー１５に形成された開口２５を通過することを確保するために設けられている。ケーブル２１の揺れ止め４５があることにより、第１のコネクター４４から延びるケーブル２１は第１のサイドカバー１５の開口２５を確実に通る。換言すれば、ケーブル２１と第１のサイドカバー１５との接触が確実に回避される。従って、ケーブル２１の荷重がプラットフォーム１４には伝達されない。
【００４２】
第１のコネクター４４が前記第２のコネクター４６に結合されるときに、第１のコネクター４４をロックするロックアセンブリ５０が、コネクターアセンブリ２４の下方に設けられている。ロックアセンブリ５０による第１のコネクター４４へのロックは容易に解除可能である。
【００４３】
ロックアセンブリ５０は、ロック部材５２（ロック片）と、押し付け部材５４（押し付け部）と、コイルバネ５６（第２の弾性体）と、コイルバネ５８を備える。ロック部材５２は第１のコネクター４４をロックする役割をになう。押し付け部材５４とコイルバネ５８は、ロック部材５２による第１のコネクター４４へのロックを補助するロック補助機構の役割をになう。押し付け部材５４とコイルバネ５６は、ロック部材５２による第１のコネクター４４へのロックを解除するロック解除機構の役割をになう。
【００４４】
押し付け部材５４は、例えば概略的に円柱であって、その軸線はプラットフォーム１４の平坦部１４ａに直交する方向に延びている。図６に示すように、体重計１の使用時すなわち重量測定時には、プラットフォーム１４の平坦部１４ａは床面ＦＬ（設置面）と平行に配置される。すなわち体重計１は所定の姿勢で配置される。このとき、押し付け部材５４は鉛直状態になり、その下端面が床面ＦＬに接触する。押し付け部材５４は、二つのフランジ６０，６２を有する。
【００４５】
前記のホルダー３２には、筒状のガイド６４が取り付けられている。ガイド６４は底壁を有しており、この底壁には貫通孔が形成されている。押し付け部材５４のフランジ６０，６２以外の胴体部はこの貫通孔を通過しており、ガイド６４の貫通孔は、押し付け部材５４の軸線方向への移動を許容する。但し、体重計１が床面ＦＬから持ち上げられても、押し付け部材５４の上方のフランジ６０はガイド６４の底壁に引っ掛かり、押し付け部材５４が体重計１から脱落しないようになっている。
【００４６】
ガイド６４の底壁と、押し付け部材５４の下方のフランジ６２との間には、コイルバネ５６が配置される。コイルバネ５６は、押し付け部材５４の胴体部の周囲に配置されている。コイルバネ５６は、ガイド６４の底壁とフランジ６２とで圧縮されている。従って、コイルバネ５６は、フランジ６２を図中の下向きに、すなわち床面ＦＬに向けて常に付勢する。
【００４７】
押し付け部材５４の上端面には穴が形成されており、この穴の内部にはコイルバネ５８およびロック部材５２が配置されている。コイルバネ５８は、ロック部材５２を図中の上向きに、すなわち平板４２に向けて常に付勢する。第１のコネクター４４には、凹部または周溝４７が形成されており、周溝４７にロック部材５２の上端が進入可能である。周溝４７にロック部材５２の上端が進入すると、ロック部材５２は第１のコネクター４４をロックし、第１のコネクター４４と第２のコネクター４６の結合が維持される。
【００４８】
第２のコネクター４６の周囲には、コイルバネ７０（第１の弾性体）が配置されている。コイルバネ７０は、第１のコネクター４４が第２のコネクター４６から離脱することを補助するコネクター離脱機構の役割をになう。コイルバネ７０は、第１のコネクター４４が第２のコネクター４６に結合されるときに第２のコネクター４６から第１のコネクター４４が離脱する方向（すなわち図中の左向き）に第１のコネクター４４を付勢する。
【００４９】
この実施の形態に関して、第１のコネクター４４と、コネクターアセンブリ２４（第２のコネクター４６とコイルバネ７０を含む）と、ロックアセンブリ５０（ロック部材５２、押し付け部材５４、コイルバネ５６およびコイルバネ５８を含む）を、この明細書ではコネクターロック機構と呼ぶ。
【００５０】
図６に示すように、体重計１の使用時すなわち重量測定時には、体重計１は所定の姿勢で配置され、押し付け部材５４の下端面が床面ＦＬに接触する。押し付け部材５４は、床面ＦＬに押されてコイルバネ５８をロック部材５２と一緒に押し上げる。押し付け部材５４とコイルバネ５８は、ロック補助機構として機能する。すなわち、第１のコネクター４４が第２のコネクター４６に結合している時に、押し付け部材５４とコイルバネ５８は、ロック部材５２を第１のコネクター４４に向けて押し付ける。周溝４７にロック部材５２の上端が進入することによってロック部材５２は第１のコネクター４４をロックする。これにより、第１のコネクター４４と第２のコネクター４６との結合が維持される。
【００５１】
次に、体重計１が使用場所すなわち重量測定の場所から収納場所に運搬される場面を想定する。図８に示すように、体重計１が持ち上げられると、体重計１の調整可能脚６は床面ＦＬから離れる。ロックアセンブリ５０の押し付け部材５４の下端面も床面ＦＬから離れる。この結果、押し付け部材５４は、床面ＦＬに押されずにロック部材５２を第１のコネクター４４に向けて押し付けない。従って、押し付け部材５４は、ロック解除機構として機能し、ロック部材５２による第１のコネクター４４へのロックの解除を引き起こす。これにより、第１のコネクター４４と第２のコネクター４６との結合を切り離すことが可能である。従って、体重計１を床面ＦＬから持ち上げると、ロックが解除されて第１のコネクター４４と第２のコネクター４６とを切り離すことが容易になる。体重計１を運搬するときに、機器からのケーブル２１の取り外しが容易であり、ケーブル２１内の信号線（図示せず）の断線のおそれが低減される。
【００５２】
また、体重計１が床面ＦＬから離れると、押し付け部５４を床面ＦＬに向けて付勢するコイルバネ５６が、ロック解除機構として機能し、押し付け部５４を床面ＦＬに向けて強制的に移動させる。押し付け部材５４は重力だけでなく、コイルバネ５６によって床面ＦＬに向けて推進される。従って、ロック部材５２による第１のコネクター４４へのロックが素早く解除される。体重計１を運搬するときに、体重計１からのケーブル２１の取り外しがさらに容易であり、ケーブル２１内の信号線の断線のおそれがさらに低減される。押し付け部材５４の下方への移動は、フランジ６０がガイド６４の底壁に突き当たって規制され、押し付け部材５４は体重計１から脱落しない。
【００５３】
ロック部材５２による第１のコネクター４４へのロックが解除されると、コイルバネ７０は、第１のコネクター４４が第２のコネクター４６から離脱することを補助するコネクター離脱機構として機能する。すなわち、コイルバネ７０は、図中の左向きの弾性力によって第２のコネクター４６から第１のコネクター４４を強制的に離脱させる。従って、体重計１を床面ＦＬから持ち上げると、ロックが解除されだけではなく、コイルバネ７０によって第２のコネクター４６から第１のコネクター４４が強制的に離脱する。体重計１を運搬するときに、体重計１からケーブル２１が自動的に取り外され、ケーブル２１内の信号線の断線のおそれがさらに低減される。
【００５４】
こうして、第１のコネクター４４が、コネクターアセンブリ２４の第２のコネクター４６から離脱することにより、ケーブル２１が体重計１から切り離される。第１のコネクター４４は揺れ止め４５から容易に抜き取ることができる。
【００５５】
上述したように、ケーブル２１が体重計１から切り離された状態で、体重計１の運搬にあたって体重計１は直立姿勢まで立ち上げられる。図示しないが、体重計１は車輪１９で床面ＦＬに支持され、車輪１９によって床面ＦＬ上を簡単に移動することができる。
【００５６】
次に、作業者がコネクターアセンブリ２４にケーブル２１を接続しようとする場面を想定する。図９に示すように、体重計１は使用のために、プラットフォーム１４の平坦部１４ａが床面ＦＬに平行になるように配置される。このとき、押し付け部材５４は、床面ＦＬに押されてコイルバネ５６を圧縮しながら上昇する。押し付け部材５４の上昇に伴い、ロック部材５２も上昇する。ロック部材５２の上端は、第２のコネクター４６に結合されようとする第１のコネクター４４の下端よりも高い位置に到達する。
【００５７】
ロック部材５２の上部には斜面５３が形成されている。斜面５３は第２のコネクター４６から遠ざかるほど低い。つまり斜面５３はコネクターケース４３の出口に近いほど低い。作業者は、第１のコネクター４４を揺れ止め４５に挿入し、さらに推進してコネクターケース４３に挿入する。このとき、第１のコネクター４４の先端はロック部材５２の斜面５３に突き当たる。第１のコネクター４４をさらに推進すると、第１のコネクター４４の先端に斜面５３が押されて、ロック部材５２は、コイルバネ５８の弾性力に抗して下降する。
【００５８】
作業者が第１のコネクター４４をさらに推進すると、図６に示すように、第１のコネクター４４は第２のコネクター４６に結合される。このとき、コイルバネ７０は第１のコネクター４４の先端によって圧縮される。第１のコネクター４４が第２のコネクター４６に結合されるときに、周溝４７にロック部材５２の上端が進入することによってロック部材５２は第１のコネクター４４をロックする。これにより、第１のコネクター４４と第２のコネクター４６との結合が維持される。
【００５９】
この実施の形態において、コイルバネ５６，５８，７０の各々の代わりに、他の種類のバネを設けてもよいし、バネのほかの弾性体、例えばゴム製の部材を設けてもよい。
また、コイルバネ５６，７０を設けることは好ましいが必須ではなく、これらの一方または両方をなくしてもよい。コイルバネ５６がない場合には、フランジ６２をなくしてもよい。
さらに、周溝４７の代わりに、ロック部材５２が進入する他の形状の凹部または切欠を第１のコネクター４４に形成してもよい。
【００６０】
図１０は他の実施の形態を示す。この実施の形態では、ロックアセンブリ５０の代わりにロックアセンブリ８０が設けられている。図１０において、前記の実施の形態と同様の構成要素を示すために同一の符号が使用されており、これらの構成要素を詳細には説明しない。前記の実施の形態のコイルバネ５６、フランジ６２、およびコイルバネ５８はこの実施の形態には設けられていない。
【００６１】
ロックアセンブリ８０は、押し付け部材８４（押し付け部）は、前記の実施の形態の押し付け部材５４と同様に、例えば概略的に円柱であって、その軸線はプラットフォーム１４の平坦部１４ａに直交する方向に延びている。押し付け部材８４はフランジ６０を有しており、さらに押し付け部材８４の上端にはロック片８２が一体化されている。押し付け部材８４の下端にはコイルバネ８８が取り付けられている。体重計１の使用時に、コイルバネ８８は押し付け部材８４の下端面と床面ＦＬとで圧縮されており、押し付け部材８４とロック片８２に上向きの弾性力を与えている。この実施の形態に関して、第１のコネクター４４と、コネクターアセンブリ２４（第２のコネクター４６とコイルバネ７０を含む）と、ロックアセンブリ８０（押し付け部材８４およびコイルバネ８８を含む）を、この明細書ではコネクターロック機構と呼ぶ。
【００６２】
図１０の状態から、体重計１が持ち上げられると、体重計１の調整可能脚６は床面ＦＬから離れる。ロックアセンブリ８０の押し付け部材８４は、床面ＦＬに押されずにロック片８２を第１のコネクター４４に向けて押し付けない。押し付け部材８４は重力によって床面ＦＬに向けて落下する。コイルバネ７０の弾性力によって第１のコネクター４４とロック片８２の間には摩擦力が生じており、この摩擦力は押し付け部材８４に働く重力とは逆方向に働く。しかし、この摩擦力が押し付け部材８４に働く重力よりも小さいように、コイルバネ７０のバネ定数およびその変形量が設計されている。この結果、床面ＦＬが押し付け部材８４を押し上げる力がなくなると、押し付け部材８４に働く重力がこの摩擦力に打ち克って押し付け部材８４は床面ＦＬに向けて落下する。従って、押し付け部材８４は、ロック解除機構として機能し、ロック片８２による第１のコネクター４４へのロックの解除を引き起こす。押し付け部材８４の下方への移動は、フランジ６０がガイド６４の底壁に突き当たって規制され、押し付け部材８４は体重計１から脱落しない。
【００６３】
ロック片８２による第１のコネクター４４へのロックが解除されると、コイルバネ７０は、第１のコネクター４４が第２のコネクター４６から離脱することを補助するコネクター離脱機構として機能する。すなわち、コイルバネ７０は、図中の左向きの弾性力によって第２のコネクター４６から第１のコネクター４４を強制的に離脱させる。
【００６４】
次に、作業者がコネクターアセンブリ２４にケーブル２１を接続しようとする場合には、体重計１は使用のために、プラットフォーム１４の平坦部１４ａが床面ＦＬに平行になるように配置される。このとき、押し付け部材８４は、床面ＦＬに押されて上昇する。作業者は、第１のコネクター４４を揺れ止め４５に挿入し、さらに推進してコネクターケース４３に挿入する。このとき、第１のコネクター４４の先端はロック片８２の斜面５３に突き当たる。第１のコネクター４４をさらに推進すると、第１のコネクター４４の先端に斜面５３が押されて、ロック片８２を含む押し付け部材８４は、コイルバネ８８の弾性力に抗して下降する。
【００６５】
作業者が第１のコネクター４４をさらに推進すると、図１０に示すように、第１のコネクター４４は第２のコネクター４６に結合される。このとき、コイルバネ７０は第１のコネクター４４の先端によって圧縮される。第１のコネクター４４が第２のコネクター４６に結合されるときに、周溝４７にロック片８２の上端が進入することによってロック片８２は第１のコネクター４４をロックする。これにより、第１のコネクター４４と第２のコネクター４６との結合が維持される。
【００６６】
この実施の形態において、コイルバネ７０，８８の各々の代わりに、他の種類のバネを設けてもよいし、バネのほかの弾性体、例えばゴム製の部材を設けてもよい。
また、コイルバネ７０を設けることは好ましいが必須ではなく、これをなくしてもよい。
さらに、周溝４７の代わりに、ロック片８２が進入する他の形状の凹部または切欠を第１のコネクター４４に形成してもよい。
【００６７】
図１１はさらに他の実施の形態を示す。この実施の形態では、ロックアセンブリ８０の代わりにロックアセンブリ１５０が設けられている。また、ケーブル２１の一端には、第１のコネクター４４に代えて他の形状の第１のコネクター１４４が設けられている。図１１において、前記の実施の形態と同様の構成要素を示すために同一の符号が使用されており、これらの構成要素を詳細には説明しない。前記の実施の形態のコイルバネ５６、フランジ６２、およびコイルバネ５８はこの実施の形態には設けられていない。
【００６８】
ロックアセンブリ１５０は、押し付け部材１５４（押し付け部）は、前記の実施の形態の押し付け部材５４と同様に、例えば概略的に円柱であって、その軸線はプラットフォーム１４の平坦部１４ａに直交する方向に延びている。押し付け部材１５４はフランジ６０を有しており、さらに押し付け部材１５４の上端にはロック片１５２が一体化されている。押し付け部材１５４の下端にはコイルバネ８８が取り付けられている。体重計１の使用時に、コイルバネ８８は押し付け部材１５４の下端面と床面ＦＬとで圧縮されており、押し付け部材１５４とロック片１５２に上向きの弾性力を与えている。この実施の形態に関して、第１のコネクター１４４と、コネクターアセンブリ２４（第２のコネクター４６とコイルバネ７０を含む）と、ロックアセンブリ１５０（押し付け部材１５４およびコイルバネ８８を含む）を、この明細書ではコネクターロック機構と呼ぶ。
【００６９】
第１のコネクター１４４は、周溝４７の代わりに、フランジ１４７を有する。フランジ１４７の周面は斜面１４８である。斜面１４８は第２のコネクター４６から遠ざかるほど大径である。つまり斜面１４８はコネクターケース４３の出口に近いほど大径である。
【００７０】
図１１の状態から、体重計１が持ち上げられると、体重計１の調整可能脚６は床面ＦＬから離れる。ロックアセンブリ１５０の押し付け部材１５４は、床面ＦＬに押されずにロック片１５２を第１のコネクター１４４に向けて押し付けない。押し付け部材１５４は重力によって床面ＦＬに向けて落下する。コイルバネ７０の弾性力によって第１のコネクター１４４のフランジ１４７とロック片１５２の間には摩擦力が生じており、この摩擦力は押し付け部材１５４に働く重力とは逆方向に働く。しかし、この摩擦力が押し付け部材１５４に働く重力よりも小さいように、コイルバネ７０のバネ定数およびその変形量が設計されている。この結果、床面ＦＬが押し付け部材１５４を押し上げる力がなくなると、押し付け部材１５４に働く重力がこの摩擦力に打ち克って押し付け部材１５４は床面ＦＬに向けて落下する。従って、押し付け部材１５４は、ロック解除機構として機能し、ロック片１５２による第１のコネクター１４４へのロックの解除を引き起こす。押し付け部材１５４の下方への移動は、フランジ６０がガイド６４の底壁に突き当たって規制され、押し付け部材１５４は体重計１から脱落しない。
【００７１】
ロック片１５２による第１のコネクター１４４へのロックが解除されると、コイルバネ７０は、第１のコネクター１４４が第２のコネクター４６から離脱することを補助するコネクター離脱機構として機能する。すなわち、コイルバネ７０は、図中の左向きの弾性力によって第２のコネクター４６から第１のコネクター１４４を強制的に離脱させる。
【００７２】
次に、作業者がコネクターアセンブリ２４にケーブル２１を接続しようとする場合には、体重計１は使用のために、プラットフォーム１４の平坦部１４ａが床面ＦＬに平行になるように配置される。このとき、押し付け部材１５４は、床面ＦＬに押されて上昇する。作業者は、第１のコネクター１４４を揺れ止め４５に挿入し、さらに推進してコネクターケース４３に挿入する。このとき、第１のコネクター１４４のフランジ１４７はロック片１５２に突き当たる。第１のコネクター１４４をさらに推進すると、第１のコネクター１４４のフランジ１４７にフランジ１５２が押されて、ロック片１５２を含む押し付け部材１５４は、コイルバネ８８の弾性力に抗して下降する。
【００７３】
作業者が第１のコネクター１４４をさらに推進すると、図１１に示すように、第１のコネクター１４４は第２のコネクター４６に結合される。このとき、コイルバネ７０は第１のコネクター１４４の先端によって圧縮される。第１のコネクター１４４が第２のコネクター４６に結合されるときに、第１のコネクター１４４ｂのうちフランジ１４７よりケーブル２１側の部分にロック片１５２の上端が進入することによってロック片１５２は第１のコネクター１４４をロックする。これにより、第１のコネクター１４４と第２のコネクター４６との結合が維持される。
【００７４】
この実施の形態において、コイルバネ７０，８８の各々の代わりに、他の種類のバネを設けてもよいし、バネのほかの弾性体、例えばゴム製の部材を設けてもよい。
また、コイルバネ７０を設けることは好ましいが必須ではなく、これをなくしてもよい。
さらに、フランジ１４７の代わりに、ロック片１５２が引っ掛かる他の形状の凸部または突起を第１のコネクター１４４に形成してもよい。
【００７５】
前記の各実施の形態において、図１２に示すように、第２のサイドカバー１６には手摺り部材２００を連結してもよい。被験者が車椅子に搭乗してプラットフォーム１４の平坦部１４ａ上に載った際に、被験者は手摺り部材２００を把持することができる。被験者が身体が震える症状を持つ身体障害者であったとしても、被験者は手摺り部材２００の把持によって身体の震えを収まらせることができる場合がある。身体の震えを抑制することで、測定される重量値が安定する。
【００７６】
車椅子に搭乗していない被験者も、手摺り部材２００を掴むことができる。この被験者が身体が震える症状を持つ身体障害者であったとしても、被験者は手摺り部材２００の把持によって身体の震えを収まらせることができる場合がある。身体の震えを抑制することで、測定される重量値が安定する。また、被験者が脚が不自由な場合でも、被験者は手摺り部材２００の把持によってプラットフォーム１４上に立つことができる。
【００７７】
以上、実施の形態に係る体重計を説明したが、本発明は、体重計に限定されず、被験者の体重以外の他の被測定物の重量を測定する重量計を包含する。さらに、前記の各実施の形態のコネクターロック機構は、重量計のほかの機器に設けることもできる。
【符号の説明】
【００７８】
１  体重計（重量計、機器）、２  ベース、１３  操作ユニット、１４  プラットフォーム、２７ａ，２７ｂ  ロードセルユニット（荷重測定器）、２１  ケーブル、２４  コネクターアセンブリ、４２  平板、４４，１４４  第１のコネクター、４５  揺れ止め、４６  第２のコネクター、５０，８０，１５０  ロックアセンブリ、５２  ロック部材（ロック片）、５４，８４，１５４  押し付け部材（押し付け部）、５６  コイルバネ（第２の弾性体）、７０  コイルバネ（第１の弾性体）、８２，１５２  ロック片、ＦＬ  床面（設置面）。
【図１】
0005447151.tif 000002
【図２】
0005447151.tif 000003
【図３】
0005447151.tif 000004
【図４】
0005447151.tif 000005
【図５】
0005447151.tif 000006
【図６】
0005447151.tif 000007
【図７】
0005447151.tif 000008
【図８】
0005447151.tif 000009
【図９】
0005447151.tif 000010
【図１０】
0005447151.tif 000011
【図１１】
0005447151.tif 000012
【図１２】
0005447151.tif 000013